(57)【要約】      （修正有）【課題】タンクを大きくすることなく、オーバーフロー管から排水できる水の量を常に所定量確保し、エア溜まりによる排水量の低下を生じさせずに所定の排水量でオーバーフロー管からオーバーフローさせるオーバーフロー管アダプタを提供する。【解決手段】貯水タンク内に立設するオーバーフロー管３の上端に取付けられ、円環凹み形状であり、中心を貫通する通気孔４２と、凹み部分側の内側面４１ａでオーバーフロー管３の外側面３０に係合する係合部４１と、オーバーフロー管３の内側面３１の接線方向にオーバーフロー管アダプタ４の側壁を貫通する水路４３と、を備え、水路４３から進入した水をオーバーフロー管３の内側面３１に沿って螺旋状に流下させ、オーバーフロー管３の中央を気体が通過可能とするオーバーフロー管アダプタ４である。【選択図】図２
2019218755.tif 000002
【特許請求の範囲】
【請求項１】
貯水タンク内に立設するオーバーフロー管の上端に取付けるオーバーフロー管アダプタであって、
円環凹み形状であり、
中心を貫通する通気孔と、凹み部分側の内側面で該オーバーフロー管の外側面に係合する係合部と、該オーバーフロー管の内側面の接線方向にアダプタ側壁を貫通する水路と、を備え、
該水路から進入した水を該オーバーフロー管の内側面に沿って螺旋状に流下させ、該オーバーフロー管の中央を気体が通過可能とするオーバーフロー管アダプタ。
【請求項２】
貯水タンク内に立設するオーバーフロー管の上端に取付けるオーバーフロー管アダプタであって、
円環凹み形状であり、
中心を貫通する通気孔と、凹み部分側の内側面で該オーバーフロー管の外側面に係合する係合部と、該通気孔の接線方向でアダプタ上面に形成される水路と、を備え、
該水路から進入した水を該オーバーフロー管の内側面に沿って螺旋状に流下させ、該オーバーフロー管の中央を気体が通過可能とするオーバーフロー管アダプタ。
【発明の詳細な説明】
【技術分野】
【０００１】
本発明は、貯水タンクに配設されたオーバーフロー管に取り付けるアダプタに関する。
【背景技術】
【０００２】
貯水タンクは、該タンクに供給する水がタンクから溢れ出さないように、タンク内の水が所定の水位以上になったら水をオーバーフローさせるオーバーフロー管を該タンク内に立設している（例えば、特許文献１参照）。
【先行技術文献】
【特許文献】
【０００３】
【特許文献１】特開２００９−０９１８９１号公報
【発明の概要】
【発明が解決しようとする課題】
【０００４】
タンク内の水のオーバーフローは、オーバーフロー管の上端が排水口となり、排水口から水を管内に進入させ排水して、タンク内の水位が許容水位以上に上がらないようにしている。そして、オーバーフローする水は排水口の全周から管内に進入しているため、管内にエア溜まりが発生する場合があり、該エア溜まりのエアが管内から抜ける時に一瞬排水が停止し、一時的に排水量が低下してタンク内の水位が許容水位を超えてしまうという問題がある。
【０００５】
タンクから水を溢れさせなくするために、オーバーフロー管内にエア溜まりが形成されないようにして所定の排水量を常に確保する必要があり、その対策として、オーバーフロー管の径を大きくする。しかし、タンクの容積がその分小さくなるので、必要なタンク内の容積を確保するためにタンク全体を大きくしなければならないという問題がある。
【０００６】
よって、タンクを大きくすることなく、かつ、エア溜まりによる排水量の低下を生じさせずに、オーバーフロー管から排水できる水の量を所定量常に確保して、貯水タンクの水をオーバーフローさせることができるようにするという課題がある。
【課題を解決するための手段】
【０００７】
上記課題を解決するための本発明は、貯水タンク内に立設するオーバーフロー管の上端に取付けるオーバーフロー管アダプタであって、円環凹み形状であり、中心を貫通する通気孔と、凹み部分側の内側面で該オーバーフロー管の外側面に係合する係合部と、該オーバーフロー管の内側面の接線方向にアダプタ側壁を貫通する水路と、を備え、該水路から進入した水を該オーバーフロー管の内側面に沿って螺旋状に流下させ、該オーバーフロー管の中央を気体が通過可能とするオーバーフロー管アダプタである。
【０００８】
また、上記課題を解決するための本発明は、貯水タンク内に立設するオーバーフロー管の上端に取付けるオーバーフロー管アダプタであって、円環凹み形状であり、中心を貫通する通気孔と、凹み部分側の内側面で該オーバーフロー管の外側面に係合する係合部と、該通気孔の接線方向でアダプタ上面に形成される水路と、を備え、該水路から進入した水を該オーバーフロー管の内側面に沿って螺旋状に流下させ、該オーバーフロー管の中央を気体が通過可能とするオーバーフロー管アダプタである。
【発明の効果】
【０００９】
本発明に係るオーバーフロー管アダプタは、円環凹み形状であり、中心を貫通する通気孔と、凹み部分側の内側面でオーバーフロー管の外側面に係合する係合部と、オーバーフロー管の内側面の接線方向にアダプタ側壁を貫通する水路と、を備えているため、水路から進入した水をオーバーフロー管の内側面に沿って螺旋状に流下させることで、オーバーフロー管の中央を気体が通過可能とする。よって、排水時にオーバーフロー管内にエア溜まりが発生することを防ぐことで一時的に排水量を減少させる事無く、常に所定の排水量でオーバーフロー管から水をオーバーフローさせることができる。
【００１０】
また、本発明に係るオーバーフロー管アダプタは、円環凹み形状であり、中心を貫通する通気孔と、凹み部分側の内側面でオーバーフロー管の外側面に係合する係合部と、通気孔の接線方向でアダプタ上面に形成される水路と、を備えているため、水路から進入した水をオーバーフロー管の内側面に沿って螺旋状に流下させることで、オーバーフロー管の中央を気体が通過可能となる。よって、排水時にオーバーフロー管内にエア溜まりが発生することを防ぐことで一時的に排水量を減少させる事無く、常に所定の排水量でオーバーフロー管から水をオーバーフローさせることができる。
【図面の簡単な説明】
【００１１】
【図１】オーバーフロー管が配設された貯水タンクの一例を示す斜視図である。
【図２】図２（Ａ）は、側壁を貫通する水路を備えるオーバーフロー管アダプタが取り付けられたオーバーフロー管の一例を示す縦断面図である。図２（Ｂ）は、側壁を貫通する水路を備えるオーバーフロー管アダプタが取り付けられたオーバーフロー管の一例を示す横断面図である。
【図３】図３（Ａ）は、側壁を貫通する水路を備えるオーバーフロー管アダプタの一例を示す縦断面図である。図３（Ｂ）は、側壁を貫通する水路を備えるオーバーフロー管アダプタの一例を示す横断面図である。
【図４】図４（Ａ）は、上面に水路が形成されたオーバーフロー管アダプタが取り付けられたオーバーフロー管の一例を示す縦断面図である。図４（Ｂ）は、上面に水路が形成されたオーバーフロー管アダプタが取り付けられたオーバーフロー管の一例を示す横断面図である。
【図５】図５（Ａ）は、上面に水路が形成されたオーバーフロー管アダプタの一例を示す縦断面図である。図５（Ｂ）は、上面に水路が形成されたオーバーフロー管アダプタの一例を示す横断面図である。
【図６】上面に水路が形成されたオーバーフロー管アダプタの別例を示す横断面図である。
【発明を実施するための形態】
【００１２】
図１に示す貯水タンク１は、例えば、矩形状の底板１０と、底板１０の外周から一体的に＋Ｚ方向に立ち上がる側壁１１とからなり、底板１０と側壁１１とで囲まれた空間に水を溜めることができる。
貯水タンク１の開口上方には、貯水タンク１に水を供給する水供給手段２が配設されている。水供給手段２は、例えば、貯水タンク１内に水を供給する供給パイプ２０を備えており、供給パイプ２０は、ポンプ等からなる水供給源２１に開閉バルブ２２を介して連通している。
【００１３】
貯水タンク１内には、水供給手段２で供給した水が所定の水位以上になることを防止するオーバーフロー管３が、供給パイプ２０とずらして配設されている。オーバーフロー管３は、例えば、貯水タンク１の底板１０を貫通して直立しており、円筒状の外形を備えており、その下端側は、貯水タンク１外の図示しない排水路に連通している。
【００１４】
オーバーフロー管３の上端には、本発明に係るオーバーフロー管アダプタ４が取り付けられている。オーバーフロー管アダプタ４の高さ位置は、貯水タンク１に設定する最大水位を基準に定められる。
図２（Ａ）、（Ｂ）、及び図３（Ａ）、（Ｂ）を用いて詳述するオーバーフロー管アダプタ４は、例えば、下方から見て円環凹み形状となっており、ステンレス等の金属、硬質プラスチック、又はゴム等で形成されている。即ち、図３（Ａ）、（Ｂ）に示すように、オーバーフロー管アダプタ４の下面から厚さ方向（Ｚ軸方向）の例えば中間部までは、円形で上方に向かう凹み部分４０が形成され、該凹み部分４０は円環壁で囲繞されている。そして、該円環壁は後述する係合部４１となり、オーバーフロー管アダプタ４の係合部４１よりも上方の部分は、オーバーフロー管アダプタ４の天井部４４となる。
【００１５】
凹み部分４０の中心（天井部４４の下面４４ｂの中心）からは、オーバーフロー管アダプタ４の上面４４ａまで通気孔４２がＺ軸方向に貫通形成されている。
図２（Ａ）、（Ｂ）に示すように、円環状の係合部４１は、凹み部分４０側の内側面４１ａでオーバーフロー管３の外側面３０に係合し、また、天井部４４の下面４４ｂがオーバーフロー管３の上端面３２に当接する。
また、係合部４１は、円環状で無くてもよく、凹み部分４０側の内側面４１ａから部分的に凸出していて、凸出した先端をオーバーフロー管３の外側面３０に接触させ、オーバーフロー管アダプタ４をオーバーフロー管３に係合させてもよい。
【００１６】
図２（Ａ）、（Ｂ）に示すようにオーバーフロー管アダプタ４は、取り付けられたオーバーフロー管３の内側面３１の接線方向にオーバーフロー管アダプタ４の側壁を貫通する水路４３を備えている。即ち、本実施形態における水路４３は、天井部４４の外側面から内側面を貫通して通気孔４２に到っている。水路４３は、円周方向に等間隔空けて複数（例えば、６つ）配設されているが、例えば、３つ配設されていてもよいし、９つ配設されていてもよい。
例えば、貫通孔状の水路４３は、図２（Ａ）に示すようにアダプタ中心側に向かって縮径することで、水がオーバーフロー管３により流入しやすくなっていてもよい。
【００１７】
オーバーフロー管３の上端には、上記オーバーフロー管アダプタ４の代わりに、図４（Ａ）、（Ｂ）、及び図５（Ａ）、（Ｂ）を用いて詳述するオーバーフロー管アダプタ４Ａが取り付けられていてもよい。オーバーフロー管アダプタ４Ａの高さ位置は、貯水タンク１に設定する最大水位を基準に定められる。
【００１８】
オーバーフロー管アダプタ４Ａは、例えば、下方から見て円環凹み形状となっており、ステンレス等の金属、硬質プラスチック、又はゴム等で形成されている。即ち、図５（Ａ）、（Ｂ）に示すように、オーバーフロー管アダプタ４Ａの下面から厚さ方向（Ｚ軸方向）の例えば中間部までは、円形で上方に向かう凹み部分４５が形成され、該凹み部分４５は円環壁で囲繞されている。そして、該円環壁は後述する係合部４６となり、オーバーフロー管アダプタ４Ａの係合部４６よりも上方の部分は、オーバーフロー管アダプタ４Ａの天井部４７となる。
【００１９】
図５（Ａ）、（Ｂ）に示すように、凹み部分４５からは、オーバーフロー管アダプタ４Ａの上面４７ａまで、オーバーフロー管３の外径よりも小径の通気孔４８がＺ軸方向に貫通形成されている。図４（Ａ）、（Ｂ）に示すように、円環状の係合部４６は、凹み部分４５側の内側面４６ａでオーバーフロー管３の外側面３０に係合し、また、天井部４７の下面４７ｂがオーバーフロー管３の上端面３２に当接する。
【００２０】
図５（Ａ）、（Ｂ）に示すようにオーバーフロー管アダプタ４Ａは、通気孔４８の接線方向でオーバーフロー管アダプタ４Ａの上面４７ａに形成される溝状の水路４９を備えている。即ち、本実施形態における水路４９は、天井部４７の外側面から内側面を貫通して通気孔４８に到っている。水路４９は、円周方向に等間隔空けて複数（例えば、６つ）配設されているが、例えば、３つ配設されていてもよいし、９つ配設されていてもよい。
【００２１】
次に、図１に示す貯水タンク１内の水が、先に説明したオーバーフロー管アダプタ４が取り付けられたオーバーフロー管３からオーバーフローする場合について説明する。
図１に示す開閉バルブ２２が開かれた状態で、水供給源２１から供給パイプ２０に対して水が供給され、供給パイプ２０から流出した水が貯水タンク１内に溜められていく。そして、貯水タンク１内の水の水面が貯水タンク１に設定する最大水位を超えると、オーバーフローした水が、図２（Ａ）、（Ｂ）に示すように、オーバーフロー管アダプタ４の各水路４３を通りオーバーフロー管３内部に流れ込んでいく。
【００２２】
ここで、水路４３内に流入した水は、オーバーフロー管３の中心に向かわず内側面３１の接線方向に向かうベクトルでオーバーフロー管３内へ進入していくよう流れが整えられる。そのため、オーバーフロー管３内に螺旋状に流下する水の流れが形成され、螺旋状に流下する水はオーバーフロー管３の内側面３１に沿って押し付けられるように下方に流れていくため、オーバーフロー管３内の中央を気体が通過できる排気路が形成される。
【００２３】
なお、オーバーフロー管３にオーバーフロー管アダプタ４の代わりに図４（Ａ）、（Ｂ）に示すオーバーフロー管アダプタ４Ａを取り付けている場合においても同様に、貯水タンク１内においてオーバーフローした水は、オーバーフロー管アダプタ４Ａの上面４７ａに形成された各水路４９に進入し、各水路４９を通過することで、通気孔４８の接線方向に向かうベクトルで流れが整えられる。そのため、水路４９を通過した水は、オーバーフロー管アダプタ４Ａからオーバーフロー管３に螺旋状に流れ落ちていくため、オーバーフロー管３の内側面３１に沿って水が螺旋状に流下することで、オーバーフロー管３の中央に気体を通過可能とする排気路が形成される。
【００２４】
例えば、従来のように、オーバーフロー管アダプタ４、又はオーバーフロー管アダプタ４Ａがオーバーフロー管３に取り付けられていないに場合には、オーバーフロー管３の上端全周から水がオーバーフロー管３内に流れ込み、管内にエア溜まりが形成されてしまい、該エア溜まりによってオーバーフロー管３内の水の流れが部分的に一時滞ってしまい、排水量の低下を招く場合がある。
【００２５】
一方、図１及び図２（Ａ）、（Ｂ）に示すように、オーバーフロー管３の上端に本発明に係るオーバーフロー管アダプタ４を取り付けていることで、オーバーフロー管アダプタ４のオーバーフロー管３の内側面３１の接線方向にアダプタ側壁を貫通する水路４３に進入した水をオーバーフロー管３の内側面３１に沿って螺旋状に流下させることで、オーバーフロー管３の中央を気体が通過可能となる（排気路を形成が形成される）。そして、排気路はオーバーフロー管アダプタ４の通気孔４２に連通するため、排水時にオーバーフロー管３内のエアは、オーバーフロー管３外へ常に排気可能となる。よって、オーバーフロー管３内にエア溜まりが発生することを防ぐことで従来よりも排水効率を上昇させ、常に所定の排水量でオーバーフロー管３から水をオーバーフローさせることができる。よって、排水時にオーバーフロー管３内にエア溜まりが発生することを防ぐことで従来よりも排水効率を上昇させ、常に所定の排水量でオーバーフロー管３から水をオーバーフローさせることができる。
【００２６】
同様に、図４（Ａ）、（Ｂ）に示すように、オーバーフロー管３の上端に本発明に係るオーバーフロー管アダプタ４Ａを取り付けていることで、オーバーフロー管アダプタ４Ａの通気孔４８の接線方向でアダプタ上面４７ａに形成される水路４９に進入した水をオーバーフロー管３の内側面３１に沿って螺旋状に流下させることで、オーバーフロー管３の中央を気体が通過可能となる排気路が形成される。そして、排気路はオーバーフロー管アダプタ４Ａの通気孔４８に連通するため、排水時にオーバーフロー管３内のエアは、オーバーフロー管３外へ常に排気可能となる。よって、オーバーフロー管３内にエア溜まりが発生することを防ぐことで一時的に排水量が減少する状況を防止し、常に所定の排水量でオーバーフロー管３から水をオーバーフローさせることができる。
また、既存のオーバーフロー管３に、工具不要又は簡単な工具を用いるだけでオーバーフロー管アダプタ４又はオーバーフロー管アダプタ４Ａは取り付けることができるため、既存のオーバーフロー管３を常に一定の排水量を排水できるように改造することが容易に行うことができる。
【００２７】
なお、本発明に係るオーバーフロー管アダプタ４、４Ａは上記の例に限定されるものではなく、また、添付図面に図示されている貯水タンク１やオーバーフロー管３等の各構成についても、これに限定されず、本発明の効果を発揮できる範囲内で適宜変更可能である。
【００２８】
例えば、図４（Ａ）、（Ｂ）に示すオーバーフロー管アダプタ４Ａの水路は、通気孔４８の接線方向でアダプタ上面４７ａに形成されていればよい、即ち、水路内に進入した水がオーバーフロー管アダプタ４Ａからオーバーフロー管３に螺旋状に流れ落ちていくように流れが整えられるように形成されていればよい。したがって、オーバーフロー管アダプタ４Ａの水路は、図４（Ｂ）に示すように全長が直線状となっている形状に限定されず、例えば図６に示す水路４９０のように、アダプタ外側の部分が緩やかに曲がって形成されていてもよい。
同様に、図２（Ａ）、（Ｂ）に示すオーバーフロー管アダプタ４の水路４３も、水路４３内に進入した水をオーバーフロー管３の内側面３１の接線方向に向かう流れを与えるものであればよいため、水路４３の内、アダプタ外壁側の部分が緩やかに曲がって形成されており、アダプタ中央側の部分がオーバーフロー管３の内側面３１の接線方向に直線状に形成されているものであってもよい。
【符号の説明】
【００２９】
１：貯水タンク
２：水供給手段  ２０：供給パイプ  ２１：水供給源  ２２：開閉バルブ
３：オーバーフロー管  ３０：オーバーフロー管の外側面  ３１：オーバーフロー管の内側面  ３２：オーバーフロー管の上端面
４：オーバーフロー管アダプタ
４０：凹み部分  ４１：係合部  ４２：通気孔  ４３：水路  ４４：天井部
４Ａ：オーバーフロー管アダプタ
４５：凹み部分  ４６：係合部  ４８：通気孔  ４９：水路  ４７：天井部
【図１】
2019218755.tif 000003
【図２】
2019218755.tif 000004
【図３】
2019218755.tif 000005
【図４】
2019218755.tif 000006
【図５】
2019218755.tif 000007
【図６】
2019218755.tif 000008